(57)【要約】【課題】キッチンでの作業の種類に応じてその使用上の利便性を向上させることのできる、新しいキッチンキャビネットを提供する。【解決手段】扉（２）前面は全体が面一であって、かつ、上部に調理機器（４）が配置されたキャビネット箇所（Ａ）を除いて、シンク（６）を配置したキャビネット箇所（Ｂ）等の蹴込み部（３）の一部または全部が奥行き方向にへこんでいるものとする。【選択図】　　　　図１
2004049805.tif 000002
【特許請求の範囲】
【請求項１】
扉前面は全体が面一であって、かつ、上部に調理機器が配置されたキャビネット箇所を除いて、蹴込み部の一部または全部が奥行き方向にへこんでいることを特徴とするキッチンキャビネット。
【請求項２】
奥行き方向にへこんでいる蹴込み部は、少くとも上部にシンクが配置されたキャビネット箇所であることを特徴とする請求項１のキッチンキャビネット。
【請求項３】
蹴込み部は、扉前面位置から台輪前板までの距離として６０ｍｍ以上であることを特徴としている請求項１または２のキッチンキャビネット。
【請求項４】
上部に調理機器が配置されたキャビネット箇所では、扉前面と台輪前板とが面一であることを特徴とする請求項１ないし３のいずれかのキッチンキャビネット。
【発明の詳細な説明】
【０００１】
【発明の属する技術分野】
この出願の発明は、キッチンキャビネットに関するものである。さらに詳しくは、この出願の発明は、調理や洗い等のキッチンでの作業の種類に応じてその使用上の利便性を向上させた新しいキッチンキャビネットに関するものである。
【０００２】
【従来の技術】
従来より、たとえばガスコンロや電磁加熱機のような調理機器やシンクをその上部に配置したキッチンキャビネットにおいて、図３に示したように、その足元部としての台輪前板（１）を扉（２）の前面位置よりも奥行き方向にへこまして蹴込み部（３）を設けるようにした例が知られている。このような蹴込み部（３）は、キッチンでの作業において、足元つま先が台輪前板（１）に当たることで不便さを感じることがないように配慮したものである。
【０００３】
【発明が解決しようとする課題】
しかしながら、上記のような従来例として足元の蹴込み部（３）を設けたキッチンキャビネットが知られてはいるものの、従来の場合では、キッチンでの作業についてのきめの細かい検討と配慮がなされておらず、図３の例のように、蹴込み部（３）が同じように一律に配置されているため、かえって作業者にとっては問題点が生じていた。
【０００４】
それと言うのも、加熱調理を行う調理機器（４）の周辺では、キャビネット（５）に近寄るのは危険であるが、蹴込み部（３）の存在によって無意識的に近寄ってしまうことがあり、また一方では、シンク（６）は深く、カランの位置は最奥部に配置されているため、キャビネット（５）により近寄って作業することが望まれるが、蹴込み部（３）が浅いと足元つま先が当ってしまって、カランまで手を伸ばして上半身だけ傾けた無理な姿勢が強いられることになり、蹴込み部（３）については異なるキッチン作業を同様に考えることができないからである。
【０００５】
実際、従来では、蹴込み部（３）の深さ（奥行き）はせいぜい５０ｍｍ程度であって、キッチン作業にとっては、以上の理由から、かえって不便で問題のあるものとなっていた。
【０００６】
そこで、この出願の発明は、以上のとおりの従来のキッチンキャビネットの問題点を解消し、キッチンでの作業の種類に応じてその使用上の利便性を向上させることのできる、新しいキッチンキャビネットを提供することを課題としている。
【０００７】
【課題を解決するための手段】
この出願の発明は、上記の課題を解決するものとして、第１には、扉前面は全体が面一であって、かつ、上部に調理機器が配置されたキャビネット箇所を除いて、蹴込み部の一部または全部が奥行き方向にへこんでいることを特徴とするキッチンキャビネットを提供する。
【０００８】
また、この出願の発明は、第２には、奥行き方向にへこんでいる蹴込み部は、少くとも上部にシンクが配置されたキャビネット箇所であることを特徴とするキッチンキャビネットを、第３には、蹴込み部は、扉前面位置から台輪前板までの距離として６０ｍｍ以上であることを特徴とするキッチンキャビネットを、第４には、上部に調理機器が配置されたキャビネット箇所では、扉前面と台輪前板とが面一であることを特徴とするキッチンキャビネットを提供する。
【０００９】
【発明の実施の形態】
この出願の発明は上記のとおりの特徴をもつものであるが、以下にその実施の形態について説明する。
【００１０】
添付した図面の図１は、この出願の発明の一実施形態を例示した斜視図である。たとえばこの図１に例示したように、この出願の発明のキッチンキャビネットでは、扉（２）の前面はキャビネット（５）の全体において面一であり、また、上部に調理機器（４）が配置されたキャビネット箇所（Ａ）を除いて、蹴込み部（３）が奥行き方向にへこんでいる。特にこの図１の例のように、シンク（６）がその上部に配置されたキャビネット箇所（Ｂ）においては蹴込み部（３）が奥行き方向にへこんだ構造としている。
【００１１】
より好適には、図１の例のように、上部に調理機器（４）が配置されたキャビネット箇所（Ａ）では、上記の蹴込み部（３）が実質的に存在せずに、扉（２）前板と台輪前板（１）とが面一であるようにすることが考慮される。
【００１２】
以上のような構造は、キッチンの作業の種類には無関係に、もしくはほとんどこれを考慮せずに一律に、同じように配置していた従来の蹴込み部とは本質的に異なるものである。しかも従来のキッチンキャビネットにおいては全く想定されてこなかったものである。
【００１３】
たとえば上記の例のようなこの出願の発明のキッチンキャビネットの場合には、蹴込み部（３）を実際的に存在させないことにより、加熱が行われる調理機器（４）に無意識的に身体が接近してしまうという危険性を未然に回避することができる。そして他方では、シンク（６）がその上部に配置されたキャビネット箇所（Ｂ）では、より深く足元つま先を挿入して、無理のない姿勢でシンク（６）での作業やカランの操作を容易とすることのできる蹴込み部（３）が設定可能となる。シンク（６）では上半身だけ傾ける無理な姿勢となることはなく、カランの操作のために手を伸ばすのも容易となる。
【００１４】
実際、そのための蹴込み部（３）は、シンク（６）がその上部に配置されたキャビネット箇所（Ｂ）では、たとえば部分断面を図２に例示したように、蹴込み部（３）としての扉（２）前板位置から台輪前板（１）位置までの距離（Ｌ）を、つま先が充分に挿入できるように、６０ｍｍ以上とすること、たとえば６０ｍｍ〜８０ｍｍ程度とすることができる。この距離は、せいぜい５０ｍｍまでであった従来の構造からは全く想定できないことである。６０ｍｍ以上と、より深くすることの動機、着想が従来の場合からは容易に導かれ得ないのである。
【００１５】
もちろん、この出願の発明においては、調理機器（４）を上部に配置したキャビネット箇所（Ａ）、そしてシンク（６）を上部に配置したキャビネット箇所（Ｂ）以外の、たとえば刃物による食材の調理や、盛り付け等の作業のためのキャビネット箇所については、その作業の特徴に応じて、上記蹴込み部の配設やその深さを設定してもよいことは言うまでもない。
【００１６】
そして、この出願の発明においては、上記の例に限定されることなく、様々な形態が考慮されてよいことは言うまでもない。
【００１７】
【発明の効果】
以上詳しく説明したとおり、この出願の発明によって、従来のキッチンキャビネットの問題点を解消し、キッチンでの作業の種類に応じてその使用上の利便性を向上させることのできる、新しいキッチンキャビネットが提供される。
【図面の簡単な説明】
【図１】発明の一実施形態を例示した斜視図である。
【図２】図１における要部断面図である。
【図３】従来例を示した斜視図である。
【符号の説明】
１　台輪前板
２　扉
３　蹴込み部
４　調理機器
５　キャビネット
６　シンク
Ａ　調理機器を上部に配置したキャビネット箇所
Ｂ　シンクを上部に配置したキャビネット箇所
Ｌ　扉前板位置と台輪前板位置との距離（蹴込み部の深さ）
【図１】
2004049805.tif 000003
【図２】
2004049805.tif 000004
【図３】
2004049805.tif 000005